(57)【特許請求の範囲】
【請求項１】
通信回線を介して任意の相手先通信端末との送受信が可能であるとともに、装置の取り扱い手順などのメッセージを文字によって表示可能な表示パネルを備えた通信装置であって、
上記メッセージを、複数の言語体系毎に上記表示パネルに表示するために、各言語体系に対応した文字情報で記憶している文字情報記憶手段と、
音声を入力するための音声入力手段と、
上記音声入力手段を介して入力された上記言語体系別に予め特定された発音単語の音声を認識するとともに、その音声がどの言語体系に属するかを判定する音声認識判定手段と、
上記メッセージを表示パネル表示する場合に、上記音声認識判定手段の判定結果に基づいて、入力された上記音声の言語体系に対応する上記文字情報を上記文字情報記憶手段から読み出して、上記表示パネルに表示させる表示制御手段とを有することを特徴とする通信装置。
【請求項２】
上記通信装置は、上記通信回線を介して画像情報の送受信が可能である、請求項１に記載の通信装置。
【請求項３】
通信回線を介して任意の相手先通信端末との送受信が可能であるとともに、装置の取り扱い手順などのメッセージを文字によって表示可能な表示パネルと、音声を入力するための音声入力手段と、上記メッセージを、複数の言語体系毎に上記表示パネルに表示するために、各言語体系に対応した文字情報で記憶している文字情報記憶手段とを備えた通信装置をコンピュータによって制御するためのプログラムを記憶した記憶媒体であって、
上記コンピュータを、
上記音声入力手段を介して入力された上記言語体系別に予め特定された発音単語の音声を認識するとともに、その音声がどの言語体系に属するかを判定する音声認識判定手段と、
上記メッセージを表示パネル表示する場合に、上記音声認識判定手段による判定結果に基づいて、入力された上記音声の言語体系に対応する上記文字情報を上記文字情報記憶部から読み出して上記表示パネルに表示させる表示制御手段として機能させるためのプログラムを記憶したコンピュータ読み取り可能な記憶媒体。
【発明の詳細な説明】
【０００１】
【発明の属する技術分野】
本発明は、各種の文字情報を文字によって表示パネルに表示可能な、たとえばファクシミリ通信機能を有する通信装置、およびその通信装置を制御するためのプログラムを記憶した記憶媒体に関する。
【０００２】
【従来の技術】
従来、ファクシミリ装置には、各種文字情報を文字によって表示可能な液晶パネルなどの表示パネルを備えたものがあり、この種のファクシミリ装置は、最近の市場国際化に応じて、たとえば国内用と国外輸出用と別々に分けて製造管理され、使用先国の言語体系に応じた文字で表示されるように、製造段階において表示パネルの表示設定がされている。
【０００３】
【発明が解決しようとする課題】
しかし、上記従来のファクシミリ装置では、同一の機能を有するにもかかわらず、使用先国の言語体系の相違により、たとえば国内用と国外輸出用と別々に分けて製造管理しなければならないので、二重の手間がかかることによって合理的な製造管理を行うことができないという不都合があった。また、使用者の設定操作などによって表示設定を行うようにすることも可能であるが、使用者にとってそのような設定操作を行うことは面倒であり、なるべく簡単な操作とすべき要請があった。
【０００４】
本発明は、上記の点に鑑みて提案されたものであって、表示パネルの言語体系に応じた文字の表示設定を簡単な音声入力によって行うことができ、それにより、合理的な製造管理を可能とする通信装置、およびその通信装置を制御するためのプログラムを記憶した記憶媒体を提供することを目的とする。
【０００５】
【課題を解決するための手段】
上記目的を達成するために、請求項１に記載した発明の通信装置は、通信回線を介して任意の相手先通信端末との送受信が可能であるとともに、装置の取り扱い手順などのメッセージを文字によって表示可能な表示パネルを備えた通信装置であって、上記メッセージを、複数の言語体系毎に上記表示パネルに表示するために、各言語体系に対応した文字情報で記憶している文字情報記憶手段と、音声を入力するための音声入力手段と、上記音声入力手段を介して入力された上記言語体系別に予め特定された発音単語の音声を認識するとともに、その音声がどの言語体系に属するかを判定する音声認識判定手段と、上記メッセージを表示パネル表示する場合に、上記音声認識判定手段の判定結果に基づいて、入力された上記音声の言語体系に対応する上記文字情報を上記文字情報記憶手段から読み出して、上記表示パネルに表示させる表示制御手段とを有することを特徴としている。
【０００６】
この通信装置によれば、音声入力手段を介して言語体系別に予め特定された発音単語の音声を入力すると、その入力された音声の言語体系に対応する文字で情報が表示パネルに表示されるので、表示パネルの言語体系に応じた文字の表示設定を簡単な音声入力によって行うことができ、それにより、言語体系別に分ける必要なく合理的な製造管理を行うことができる。また、特定の発音単語、たとえば「ニホンゴ」や「イングリッシュ」というような発音を基準とすることによって、入力された音声に基づく言語体系の判定を正確に行うことができる。
【０００７】
なお、通信回線としては、公衆電話回線であっても専用回線であってもよく、また有線であっても無線であってもよい。
【０００８】
表示パネルとしては、たとえばＬＣＤなどの文字表示可能な表示ディスプレイが最適であるが、これに限ることはなく、ＬＥＤによるセグメント表示パネルなどのように文字を表示できるものであればその他の表示パネルであってもよい。
【０００９】
文字情報記憶手段としては、たとえばＥＥＰＲＯＭなどの不揮発性の半導体記憶装置が適しているが、これに限ることはなく、他の記憶装置であってもよい。
【００１０】
音声入力手段としては、たとえばマイクロホンが適用可能である。
【００１１】
また、請求項２に記載した発明の通信装置は、請求項１に記載の通信装置であって、上記通信装置は、上記通信回線を介して画像情報の送受信が可能である。
【００１２】
この通信装置によれば、請求項１に記載の通信装置による効果に加えて、通信回線を介して画像情報の送受信が可能であるので、たとえばファクシミリ装置において記録や読取の入出力処理に関する各種多数の文字情報を入力音声の言語体系に応じた文字で表示することができる。
【００１３】
【００１４】
【００１５】
また、請求項３に記載した発明の記憶媒体は、通信回線を介して任意の相手先通信端末との送受信が可能であるとともに、装置の取り扱い手順などのメッセージを文字によって表示可能な表示パネルと、音声を入力するための音声入力手段と、上記メッセージを、複数の言語体系毎に上記表示パネルに表示するために、各言語体系に対応した文字情報で記憶している文字情報記憶手段とを備えた通信装置をコンピュータによって制御するためのプログラムを記憶した記憶媒体であって、上記コンピュータを、上記音声入力手段を介して入力された上記言語体系別に予め特定された発音単語の音声を認識するとともに、その音声がどの言語体系に属するかを判定する音声認識判定手段と、上記メッセージを表示パネル表示する場合に、上記音声認識判定手段による判定結果に基づいて、入力された上記音声の言語体系に対応する上記文字情報を上記文字情報記憶部から読み出して上記表示パネルに表示させる表示制御手段として機能させるためのプログラムをコンピュータ読み取り可能に記憶していることを特徴としている。
【００１６】
この記憶媒体によれば、記憶されたプログラムに基づいてコンピュータを動作させることにより、請求項１に記載の通信装置の動作を実現することができる。
【００１７】
【発明の実施の形態】
以下、本発明の好ましい実施の形態について図面を参照して具体的に説明する。
【００１８】
図１は、本発明にかかる通信装置の一例としてのファクシミリ装置の回路ブロック図であって、このファクシミリ装置は、ＣＰＵ１、ＮＣＵ２、ＲＡＭ３、モデム４、ＲＯＭ５、ＥＥＰＲＯＭ６、ゲートアレイ７、コーデック８、ＤＭＡＣ９、音声認識回路１０、読取部１１、記録部１２、操作部１３、表示部１４、および音声入力部１５を具備して構成されている。ＣＰＵ１、ＮＣＵ２、ＲＡＭ３、モデム４、ＲＯＭ５、ＥＥＰＲＯＭ６、ゲートアレイ７、コーデック８、ＤＭＡＣ９、および音声認識回路１０は、バス線により相互に接続されている。バス線には、アドレスバス、データバス、および制御信号線が含まれる。ゲートアレイ７には、読取部１１、記録部１２、操作部１３、表示部１４、および音声入力部１５が接続されている。ＮＣＵ２には、通信回線の一例としての電話回線２１が接続されている。
【００１９】
ＣＰＵ１は、ファクシミリ装置全体を制御する。ＮＣＵ２は、電話回線２１に接続されて網制御を行う。ＲＡＭ３は、充電電池などの電池（図示省略）により電源バックアップが施されており、ファクシミリ受信データなどの各種データを記憶する。モデム４は、送信データの変調や受信データの復調などを行う。ＲＯＭ５は、各種のプログラムや初期設定値などのデータを記憶している。ＥＥＰＲＯＭ６は、各種のフラグや登録データなどを記憶する。ゲートアレイ７は、ＣＰＵ１の入出力インターフェースとして機能する。コーデック８は、ファクシミリ送信データの符号化やファクシミリ受信データの復号化を行う。ＤＭＡＣ９は、ＲＡＭ３へのデータの書き込みや読み出しを行う。音声認識回路１０は、音声入力部１５を介して入力された音声を認識することによって、その音声に応じた文字データを生成する。
【００２０】
読取部１１は、光源やイメージセンサなどを備えており、アナログの画像信号を出力する。記録部１２は、たとえばインクジェット方式の印字装置を備えており、受信画像やコピー時の読取画像などを記録用紙上に記録する。操作部１３は、キースイッチ群などからなり、使用者の操作に応じた操作信号を出力する。このキースイッチ群のなかには、相手先名などを設定登録する際に使用するカナキーやアルファベットキーなどが含まれる。表示部１４は、文字表示可能なＬＣＤなどの表示パネルからなり、ＣＰＵ１に制御されて各種の表示を行う。音声入力部１５は、マイクロホンなどを備えており、使用者の発した音声をアナログの音声信号として出力する。
【００２１】
要点について説明すると、ファクシミリ送受信や通話を行う場合、ＮＣＵ２および電話回線２１を介して相手先の電話番号が送出されるが、その際、操作部１３を介して設定登録された相手先名や電話番号などが表示部１４の表示パネルに文字表示される。また、呼出信号を受信した場合、その呼出信号に相手先の電話番号を示すコーラＩＤが付加されていると、表示部１４の表示パネルには、受信した相手先電話番号が表示され、その電話番号が登録されている場合、受信した相手先電話番号に対応する相手先名も表示される。さらに、表示部１４の表示パネルには、読取部１１や記録部１２において紙詰まりが発生した旨や取り扱い手順などのメッセージ情報が表示されるようになっている。このような相手先名やメッセージ情報は、ＥＥＰＲＯＭ６から読み出されて文字によって表示され、たとえば日本語ではカタカナで「ブラザー」と表示されるようになっている。そして、ファクシミリ装置の使用先がたとえばアメリカである場合、使用者が音声入力部１５のマイクロホンを介して英語によって音声を入力すると、表示パネルの表示が「Ｂｒｏｔｈｅｒ」と切り替わるようになっている。このような表示パネルに表示される文字の言語体系を切り替える際には、特定の発音単語、たとえば「ニホンゴ」や「イングリッシュ」というような発音をすることにより、音声認識回路１０がその特定の発音単語に基づく入力音声の言語体系を認識している。
【００２２】
すなわち、ＥＥＰＲＯＭ６は、各種の文字情報を言語体系別に記憶した文字情報記憶手段を実現している。また、音声入力部１５は、音声を入力するための音声入力手段を実現している。さらに、音声認識回路１０は、音声入力手段を介して入力された音声を認識するとともに、その音声がどの言語体系に属するか判定する音声認識判定手段を実現している。さらにまた、ＣＰＵ１は、音声認識判定手段の判定結果に基づいて、入力された音声の言語体系に対応する文字情報を文字情報記憶手段から読み出すとともに、読み出した文字情報に応じて文字列を表示パネルに表示させる表示制御手段を実現している。
【００２３】
また、ＲＯＭ５は、通信回線を介して任意の相手先通信端末との送受信が可能であるとともに、各種の文字情報を文字によって表示可能な表示パネルと、音声を入力するための音声入力手段とを備えた通信装置を制御するためのプログラムを記憶した記憶媒体であって、上記各種の文字情報を言語体系別に記憶している文字情報記憶部と、上記音声入力手段を介して入力された音声を認識するとともに、その音声がどの言語体系に属するか判定するための音声認識判定プログラムと、上記音声認識判定プログラムによる判定結果に基づいて、入力された上記音声の言語体系に対応する上記文字情報を上記文字情報記憶部から読み出すとともに、読み出した文字情報に応じて文字列を上記表示パネルに表示させるための表示制御プログラムとを含む記憶媒体を実現している。
【００２４】
次に、上記構成を有するファクシミリ装置の動作の要点について、図２に示すフローチャートを参照して説明する。
【００２５】
図２は、ファクシミリ装置における表示切り替え手順を示したフローチャートであって、この図に示すように、まず、ＣＰＵ１は、操作部１３からの操作信号に基づいて、表示パネルに表示される言語を切り替えるための切り替え操作がなされたか否かを判断している（Ｓ１）。
【００２６】
切り替え操作がされると（Ｓ１：ＹＥＳ）、ＣＰＵ１は、音声入力部１５を介して音声信号が入力されたか否かを判断する（Ｓ２）。
【００２７】
音声信号が入力されると（Ｓ２：ＹＥＳ）、音声認識回路１０は、入力された音声信号に基づいて音声認識処理を行う。この際、音声認識回路１０は、特定の発音単語に基づいて不特定話者の音声認識処理を実行しており、このような音声認識処理は、従来より周知であることからその詳細な説明を省略する。音声認識回路１０は、複数の標準音声パターンに基づくマッチング処理などを経て、入力された音声信号に基づく特定の発音単語を決定し、その決定した発音単語を言語判定データとしてＣＰＵ１に通知する。
【００２８】
言語判定データを受けたＣＰＵ１は、言語判定データに応じた言語体系の文字情報をＥＥＰＲＯＭ６から読み出すとともに、表示パネルにおいて現在表示されているメッセージなどを、読み出した文字情報に基づく言語体系の文字によって表示させることで表示言語を切り替え（Ｓ４）、その後このルーチンを終了する。つまり、表示パネルにおいて、たとえば「インク  テンケン」というメッセージが表示されている場合、表示言語の切り替えによって「ＩＮＫ  ＣＨＥＣＫ」というメッセージが表示されることとなる。
【００２９】
Ｓ２において、音声信号が入力されない場合（Ｓ２：ＮＯ）、ＣＰＵ１は、音声信号が入力されるまでＳ２の判断処理を繰り返し実行する。
【００３０】
Ｓ１において、切り替え操作がされない場合（Ｓ１：ＮＯ）、ＣＰＵ１は、切り替え操作がされるまでこの表示切り替え処理に関するルーチンを実行開始しない。
【００３１】
したがって、上記構成、動作を有するファクシミリ装置によれば、音声入力部１５を介して音声を入力すると、その入力された音声の言語体系に対応する文字が表示部１４の表示パネルに表示されるので、表示パネルの言語体系に応じた文字の表示設定を簡単な音声入力によって行うことができ、それにより、言語体系別に分ける必要なく合理的な製造管理を行うことができる。
【００３２】
なお、本実施形態においては、詳述しないが、通話に使用する際の送受話器が備え付けられており、この送受話器のマイクロホンを介して音声を入力するようにしてもよい。
【００３３】
また、音声認識回路１０は、電話回線２１を介して送信されてくる相手先の音声を認識する機能を有するものであってもよい。
【００３４】
さらに、表示パネルに表示される文字としては、一般的な文字だけでなく記号などが含まれていてもよい。このような記号としては、言語体系の異なる国ごとに異なった形態で表現されるものが適用可能である。
【００３５】
【発明の効果】
以上説明したように、請求項１に記載した発明の通信装置によれば、音声入力手段を介して言語体系別に予め特定された発音単語の音声を入力すると、その入力された音声の言語体系に対応する文字で情報が表示パネルに表示されるので、表示パネルの言語体系に応じた文字の表示設定を簡単な音声入力によって行うことができ、それにより、言語体系別に分ける必要なく合理的な製造管理を行うことができる。また、特定の発音単語、たとえば「ニホンゴ」や「イングリッシュ」というような発音を基準とすることによって、入力された音声に基づく言語体系の判定を正確に行うことができる。
【００３６】
また、請求項２に記載した発明の通信装置によれば、請求項１に記載の通信装置による効果に加えて、通信回線を介して画像情報の送受信が可能であるので、たとえばファクシミリ装置において記録や読取の入出力処理に関する各種多数の文字情報を入力音声の言語体系に応じた文字で表示することができる。
【００３７】
【００３８】
また、請求項３に記載した発明の記憶媒体によれば、記憶されたプログラムに基づいてコンピュータを動作させることにより、請求項１に記載の通信装置の動作を実現することができる。
【図面の簡単な説明】
【図１】  本発明にかかる通信装置の一例としてのファクシミリ装置の回路ブロック図である。
【図２】  ファクシミリ装置における表示切り替え手順を示したフローチャートである。
【符号の説明】
１    ＣＰＵ
２    ＮＣＵ
３    ＲＡＭ
４    モデム
５    ＲＯＭ
６    ＥＥＰＲＯＭ
７    ゲートアレイ
８    コーデック
９    ＤＭＡＣ
１０  音声認識回路
１１  読取部
１２  記録部
１３  操作部
１４  表示部
１５  音声入力部
２１  電話回線
【図１】
0003804251.tif 000002
【図２】
0003804251.tif 000003